(57)【要約】      （修正有）【課題】衣服のリフォーム時に使用する使用物を管理するとき、作業者間で管理にバラツキが生じることなく管理を確実に実施することが可能な使用物管理システムを提供する。【解決手段】個人支給物管理表内の左側に位置し、各作業者名を記入する欄を示す作業者名記入欄と、その右側に位置し、各作業者に支給された各支給物の個数を記入する支給物数記入欄と、さらにその右側に位置し、各作業者に支給された各支給物について作業日ごとに個数の確認が済んだことを記入する支給物数確認記入欄と、を含む個人支給物管理表、および針の管理表内の左側に位置し、所定数の使用可能な針を収容したパケットを貼り付ける第１収容手段２と、その右側に位置し、第１収容手段に貼り付けられるパケットの針の収容数と同数の回収針を１本ごとに貼り付ける第２収容手段３と、が記載された針の管理表からなる２つのチェックシートを組み合わせる。【選択図】図１Ａ
0003193760.tif 000002
【実用新案登録請求の範囲】
【請求項１】
所定数の使用可能な針を収容するための第１収容手段と、
第１収容手段の収容数と同数の回収針を収容するための第２収容手段と、
を備える使用物管理システム。
【請求項２】
第１収容手段が、所定数の針が収容されたパケットを、シートに設けられたスペースに貼り付けられるようになっていることを特徴とする請求項１に記載の使用物管理システム。
【請求項３】
第２収容手段が、シートに設けられた別個のスペースに回収針を１本ごとに収容できるようになっていることを特徴とする請求項１に記載の使用物管理システム。
【請求項４】
複数の作業者を管理するための管理者用の使用物管理システムであって、
各作業者への支給物を収納している容器数を記入するための収納容器数記入欄と、
各収納容器に収納されている同一支給物の合計数を記入するための同一支給物合計数記入欄と、
廃棄する支給物を収容している容器数を記入するための廃棄用容器数記入欄と、
を備え、
上記各記入欄に記入された数を確認するための記入数確認欄が、所定の日数分だけ設けられていることを特徴とする使用物管理システム。
【考案の詳細な説明】
【技術分野】
【０００１】
本考案は、使用物の管理システムに関し、詳しくは、衣服をリフォームする際などに用いる使用物を管理するための使用物管理システムに関する。
【背景技術】
【０００２】
従来、衣服の寸法直しなどのリフォームは、ズボン・スカート等の裾上げ、上着の袖や身ごろなど衣服の各部が外され、これらに対し切断や新規の布を付加するなどして顧客の要望に合ったものにリフォームしている。
【０００３】
そして、上記リフォーム作業の際は、はさみ、カッターナイフ、目打ち、待ち針、縫い針（ミシン使用針）など、一般的に危険な物品を使用して行っているので、これらの物品の管理には非常に気を付けている。
【０００４】
特には、待ち針や縫い針（ミシン使用針）が衣服に付着すると、布に突き刺さった状態で付着してしまい、この針が付着したまま衣服が顧客に納品されてしまうと、顧客に怪我を負わせてしまうなど重大な事故が発生する恐れがある。
【０００５】
しかし、往々にして物品の管理は個々の作業者に任されているため、多くの作業者を雇用しているリフォーム会社では管理にバラツキが生じることもあって、上述の事故の発生が懸念されていた。
【先行技術文献】
【特許文献】
【０００６】
【特許文献１】特開２０１０−９９９１９号公報
【考案の概要】
【考案が解決しようとする課題】
【０００７】
本考案は、作業者間で危険な物品の管理にバラツキが生じることなく確実に管理を実施することが可能な、衣服リフォーム時に使用している物品を管理するための使用物管理システムを提供することを目的とする。
【課題を解決するための手段】
【０００８】
上述した課題を解決するために、本考案に係る使用物管理システムの第１の態様は、所定数の使用可能な針を収容するための第１収容手段と、該第１収容手段の収容数と同数の回収針（破損して使用不能になった針を含む）を収容するための第２収容手段とを有することを特徴とするものである。
【０００９】
また、上記針が、少なくとも待ち針または縫い針（ミシン使用針）であることを特徴とするものである。
【００１０】
また、第１収容手段が、シートに設けられたスペースに所定数の針が収容されたパケット（小袋）を貼り付けられるようになっていることを特徴とするものである。
【００１１】
また、第２収容手段が、シートに設けられた別個のスペースに回収針を１本ごとに収容できるようになっていることを特徴とするものである。
【００１２】
また、シートに設けられた別個のスペースに回収針を貼り付けて収容することを特徴とするものである。
【００１３】
本考案に係る使用物管理システムの第２の態様は、所定の支給物の数を記入するための支給物数記入欄と、各日の少なくとも出社時と退社時に記入する支給物数確認記入欄と、を設けていることを特徴とするものである。
【００１４】
また、上記支給物数確認記入欄が、出社時と退社時に加えて昼食休憩時等に記入する記入欄も設けられていることを特徴とするものである。
【００１５】
また、上記支給物数記入欄が複数設けられていることを特徴とするものである。
【００１６】
また、上記支給物数確認記入欄が、１か月単位で設けられていることを特徴とするものである。
【００１７】
本考案に係る使用物管理システムの第３の態様においては、所定の支給物の数を記入するための支給物数記入欄と、各日の少なくとも出社時と退社時に記入する支給物確認記入欄と、が設けられており、また、上記支給物には待ち針と縫い針（ミシン使用針）が設定されていると共にこれら針の使用を管理する所定数の使用可能な針を収容するための第１収容手段と、第１収容手段の収容数と同数の回収針を収容するための第２収容手段と、が設けられていることを特徴とするものである。
【００１８】
また、第１収容手段が、シートに設けられたスペースに所定数の針が収容されたパケットを貼り付けられるようになっていることを特徴とするものである。
【００１９】
また、第２収容手段が、シートに設けられた別個のスペースに回収針を１本ごとに収容できるようになっていることを特徴とするものである。
【００２０】
また、シートに設けられた別個のスペースに回収針を貼り付けて収容することを特徴とするものである。
【００２１】
また、上記支給物数確認記入欄が、出社時と退社時に加えて昼食休憩時等に記入する記入欄も設けられていることを特徴とするものである。
【００２２】
また、上記支給物数記入欄が複数設けられていることを特徴とするものである。
【００２３】
また、上記支給物数確認記入欄が、１か月単位で設けられていることを特徴とするものである。
【００２４】
本考案に係る使用物管理システムの第４の態様は、複数の作業者を管理するための管理者用の使用物管理システムであって、各作業者への支給物を収納している容器数を記入するための収納容器数記入欄と、各収納容器に収納されている同一支給物の合計数を記入するための同一支給物合計数記入欄と、廃棄する支給物を収容している容器数を記入するための廃棄用容器数記入欄と、を備え、上記各記入欄に記入された数を確認するための記入数確認欄を、所定の日数分だけ備えていることを特徴とするものである。
【００２５】
例えば、上記記入数確認欄が、１か月単位で設けられていることを特徴とするものである。
【考案の効果】
【００２６】
本考案の使用物管理システムによれば、作業者間で管理にバラツキが生じることなく衣服リフォーム時に使用している物の管理を確実に実施することができる。
【００２７】
また、顧客に怪我を負わせてしまうなど非常に重大な事故が発生する恐れがある待ち針や縫い針（ミシン使用針）の管理においては、管理下の針の本数を目視で確認することができるので、高精度の管理を行うことができる。
【図面の簡単な説明】
【００２８】
【図１Ａ】本考案に係る使用物管理システムの第１の態様を示す図。
【図１Ｂ】本考案に係る使用物管理システムの第１の態様を示す図。
【図２Ａ】本考案に係る使用物管理システムの第２の態様を示す図。
【図２Ｂ】本考案に係る使用物管理システムの第２の態様を示す図。
【図３Ａ】本考案に係る使用物管理システムの第３の態様を示す図。
【図３Ｂ】本考案に係る使用物管理システムの第３の態様を示す図。
【図３Ｃ】本考案に係る使用物管理システムの第３の態様を示す図。
【図３Ｄ】本考案に係る使用物管理システムの第３の態様を示す図。
【図４】本考案に係る使用物管理システムの第４の態様を示す図。
【考案を実施するための形態】
【００２９】
以下、本考案に係る使用物管理システムを、添付図面に示す具体例にもとづいて説明する。
【００３０】
図１Ａ及び図１Ｂは、使用物管理システムの第１の態様を示す。図１Ａは、使用物たる縫い針（ミシン使用針）の管理を行うためのものである。本実施例においては、Ａ４用紙のチェックシート（図中の符号１）が使用される。
【００３１】
チェックシート（図中の符号１）は、所定数の使用可能な縫い針たるミシン使用針を収容するための第１収容手段（図中の符号２）と、該第１収容手段の収容数と同数の回収針を収容するための第２収容手段（図中の符号３）と、を有している。
【００３２】
第１収容手段（図中の符号２）は、目視で確認し易い数の縫い針を収容するようにするのがよく、例えば、１０本の針を収容する。針の収容形態も特に限定するものではなく、第１収容手段（図中の符号２）に、針を収納した適当な長細のパケットを貼り付け、或いは適当な長細のパケットを第１収容手段（図中の符号２）に設けて、この長細のパケット内に針を収納するようにしてもよい。
【００３３】
第２収容手段（図中の符号３）は、第１収容手段（図中の符号２）の収容数に対応して設けている横並びの各枠内に、針を１本ごとに収容できるようにしている。本実施例では、各枠を横並びで設けているが、縦並びであってもよい。針の収容形態も特に限定するものではなく、例えば第２収容手段（図中の符号３）たる各枠に、針を透明テープで貼り付ける。
【００３４】
また、チェックシート（図中の符号１）には、必要に応じて、新針の本数記入欄／針交換月日の記載欄／作業者（交換者）の確認捺印欄／責任者の確認捺印欄などを設けてもよい。
【００３５】
図１Ｂは、使用物たる待ち針の管理を行うためのものである。本実施例においては、例えばＡ４用紙のチェックシート（図中の符号１）が使用される。
【００３６】
図２は、使用物管理システムの第２の態様を示す。使用物たる個人に支給した、マチ針（待ち針）／縫い針（ミシン使用針）／目打ちなどの個人支給物の管理を行うシステムである。本実施例においては、Ａ４用紙のチェックシート（図中の符号１）が使用される。
【００３７】
チェックシート（図中の符号１）は、所定の支給物の数を記入するための支給物数記入欄（図中の符号４）と、各日の出社時及び昼食休憩時等並びに退社時に記入する支給物数確認記入欄（図中の符号５）と、支給した作業者名を記入するための作業者名記入欄（図中の符号６）と、を設けている。
【００３８】
また、支給物数記入欄（図中の符号４）は、本実施例で示したマチ針（待ち針）／縫い針（ミシン使用針）／目打ちの他に管理が必要と思われるものを記入できるよう支給物数記入欄（図中の符号４）を複数設けてもよい。
【００３９】
また、支給物数確認記入欄（図中の符号５）を１か月単位で設けているが、１週間単位や半月単位などで設けてもよい。図２Ａは、月の前半（１日〜１５日）の支給物数確認記入欄（図中の符号５）で、図２Ｂは、月の後半（１６日〜３１日）の支給物数確認記入欄（図中の符号５）を示している。
【００４０】
図３Ａ〜図３Ｄは、使用物管理システムの第３の態様を示す。第３の態様は、図２Ａ及び図２Ｂに示した個人支給物の管理と、図１Ａに示したミシン使用針（縫い針）の管理／図１Ｂに示した待ち針の管理と、を組み合わせたシステムである。本実施例おいては、Ａ４用紙のチェックシート１が使用される。
【００４１】
チェックシート１は、所定の支給物の数を記入するための支給物数記入欄７と、各日の少なくとも出社時と昼休憩時等と退社時に記入する支給物数確認記入欄８と、支給した作業者名を記入するための作業者名記入欄（図３Ａ、図３Ｂにおける符号９）と、が設けられており、また、上記支給物には待ち針と縫い針が設定されていると共に針の使用を管理する所定数の使用可能な針を収容するための第１収容手段（図３Ａ、図３Ｂにおける符号１０）と、第１収容手段の収容数と同数の回収針を収容するための第２収容手段（図３Ａ、図３Ｂにおける符号１１）と、が設けられていることを特徴とする。
【００４２】
また、支給物数記入欄（図中の符号７）は、本実施例で示したマチ針（待ち針）／縫い針の他に管理が必要と思われるものを記入できるよう支給物数記入欄（図中の符号７）を複数設けてもよい。
【００４３】
また、支給物数確認記入欄（図中の符号８）を１か月単位で設けているが、１週間単位や半月単位などで設けてもよい。図３Ａは、月の前半（１日〜１５日）の支給物数確認記入欄８で、図３Ｂは、月の後半（１６日〜３１日）の支給物数確認記入欄８を示している。
【００４４】
第１収容手段（図中の符号１０）は、目視で確認し易い数の縫い針を収容するようにするのがよく、例えば、１０本の針を収容する。針の収容形態も特に限定するものではなく、第１収容手段（図中の符号１０）に、針を収納した適当な長細のパケットを貼り付け、或いは適当な長細のパケットを第１収容手段（図中の符号１０）に設けて、このパケット内に針を収納するようにしてもよい。
【００４５】
第２収容手段（図中の符号１１）は、第１収容手段（図中の符号１０）の収容数に対応して設けている横並びの各枠内に、針を１本ごとに収容できるようにしている。本実施例では、各枠を横並びで設けているが、縦並びであってもよい。針の収容形態も特に限定するものではなく、例えば第２収容手段（図中の符号１１）たる各枠に、針を透明テープで貼り付ける。
【００４６】
また、チェックシート（図中の符号１）には、必要に応じて、新針の本数記入欄／針交換月日の記載欄／作業者（交換者）の確認捺印欄／責任者の確認捺印欄などを設けてもよい。
【００４７】
また、第３の態様においては、本実施例のように個人支給物の管理と針（縫い針／待ち針）の管理をセパレート式のチェックシートにして用いる他にも、同一のチェックシート上に表示して用いてもよい。
【００４８】
図４は、使用物管理システムの第４の態様を示す。複数の作業者を管理するための管理者用の使用物管理システムである。特には、各作業者へ支給した支給物（個人支給危険物）の収納箱／小バサミ／目打などの支給物を、店（事業所）単位で管理できるシステムである。本実施例においては、Ａ４用紙のチェックシート（図中の符号１）が使用される。
【００４９】
チェックシート（図中の符号１）は、複数の作業者を管理するための管理者用の使用物管理システムであって、各作業者への支給物を収納している容器数を記入するための収納容器数記入欄（図中の符号１２）と、各収納容器に収納されている同一支給物の合計数を記入するための同一支給物合計数記入欄（図中の符号１３）と、廃棄する支給物を収容している容器数を記入するための廃棄用容器数記入欄（図中の符号１４）と、を備え、上記各記入欄に記入された数を確認するための記入数確認欄（図中の符号１５）を、所定の分だけ備えていることを特徴とするものである。
【００５０】
例えば、記入数確認欄（図中の符号１５）を１か月単位で設けていてもよいし、１週間単位や半月単位で設けてもよい。
【符号の説明】
【００５１】
１…チェックシート
２…第１収容手段
３…第２収容手段
４…支給物数記入欄
５…支給物数確認記入欄
６…作業者名記入欄
７…支給物数記入欄
８…支給物数確認記入欄
９…作業者名記入欄
１０…第１収容手段
１１…第２収容手段
１２…収納容器数記入欄
１３…同一支給物合計数記入欄
１４…廃棄用容器数記入欄
１５…記入数確認欄
【図１Ａ】
0003193760.tif 000003
【図１Ｂ】
0003193760.tif 000004
【図２Ａ】
0003193760.tif 000005
【図２Ｂ】
0003193760.tif 000006
【図３Ａ】
0003193760.tif 000007
【図３Ｂ】
0003193760.tif 000008
【図３Ｃ】
0003193760.tif 000009
【図３Ｄ】
0003193760.tif 000010
【図４】
0003193760.tif 000011
【手続補正書】
【提出日】平成26年8月20日(2014.8.20)
【手続補正１】
【補正対象書類名】実用新案登録請求の範囲
【補正対象項目名】全文
【補正方法】変更
【補正の内容】
【実用新案登録請求の範囲】
【請求項１】
会社から複数の作業者へ個別に支給された支給物を管理するための個人支給物管理表が記載されたチェックシートであって、
上記個人支給物管理表は、
上記個人支給物管理表内の左側に位置し、各作業者名を記入する欄を示す四角い枠の形に線で区切られてなる作業者名記入欄と、
上記作業者名記入欄の右側に位置し、各作業者に支給された各支給物の個数を記入する欄を示す四角い枠の形に線で区切られてなる支給物数記入欄と、
上記支給物数記入欄の右側に位置し、各作業者に支給された各支給物について作業日ごとに個数の確認が済んだことを記入する欄を示す四角い枠の形に線で区切られてなる支給物数確認記入欄と、
を含むことを特徴とする、
個人支給物管理表が記載されたチェックシート。
【請求項２】
上記四角い枠の形に線で区切られてなる支給物数確認記入欄は、各作業日の出社時、昼食休憩時および退社時の別に記すことができるように、さらに線で区切られていることを特徴とする、請求項１に記載の個人支給物管理表が記載されたチェックシート。
【請求項３】
請求項１または２に記載の個人支給物管理表が記載されたチェックシートと、
針の管理表が記載されたチェックシートと、
を組み合わせてなる使用物管理システムであって、
上記針の管理表には、
該針の管理表内の左側に位置し、所定数の使用可能な針を収容したパケットを貼り付ける位置を示す四角い枠の形に線で区切られた欄である第１収容手段と、
第１収容手段の右側に位置し、第１収容手段に貼り付けられるパケットの針の収容数と同数の回収針を１本ごとに貼り付ける位置を示す個別の四角い枠の形に線で区切られた欄である第２収容手段と、
が記載されていることを特徴とする、
使用物管理システム。
【請求項４】
上記針の管理表には、第２収容手段の下側に位置し、上記個別の四角い枠に対応する個別の四角い枠の形に線で区切られてなる責任者の確認捺印欄がさらに記載されていることを特徴とする、請求項３に記載の使用物管理システム。